(57)【要約】【課題】レンズユニットの交換時の使い勝手を改善する。【解決手段】撮像装置の本体２のレンズマウント部２０に着脱可能に装着されるレンズユニット１と、撮像装置の本体２のレンズマウント部２０に着脱可能に装着されるマウントキャップ５と、レンズユニット１に着脱可能に装着される撮像側レンズキャップ４と、撮像側レンズキャップ４が装着される側とは反対側に着脱可能に装着される対物側レンズキャップ３とを含み、マウントキャップ５は、撮像側レンズキャップ４を着脱可能に保持する縁部１２を有し、対物側レンズキャップ３は、縁部１２に保持された撮像側レンズキャップ４を着脱可能に保持する凸状部１７を有する。【選択図】図１１
2014191211.tif 000002
【特許請求の範囲】
【請求項１】
撮像装置の本体のマウント部に着脱可能に装着されるレンズユニットと、
前記撮像装置の本体の前記マウント部に着脱可能に装着されるマウントキャップと、
前記レンズユニットの前記マウント部に装着される側に着脱可能に装着される撮像側レンズキャップと、
前記レンズユニットの前記撮像側レンズキャップが装着される側とは反対側に着脱可能に装着される対物側レンズキャップと、
を含むレンズユニットとキャップの組であって、
前記マウントキャップは、前記撮像側レンズキャップを着脱可能に保持するマウント側キャップ保持部を有し、
前記対物側レンズキャップは、前記マウントキャップに保持された前記撮像側レンズキャップを着脱可能に保持する対物側キャップ保持部を有することを特徴とするレンズユニットとキャップの組。
【請求項２】
前記レンズユニットの前記対物側レンズキャップが装着される側の端部の内周側には凹凸が形成され、
前記対物側レンズキャップの前記対物側キャップ保持部は、半径方向に往復移動可能でかつ半径方向外側に向かって付勢された保持部材と、前記保持部材に設けられ前記レンズユニットの前記凹凸に係合する係合部とを有し、
前記係合部が前記凹凸に係合することにより、前記対物側レンズキャップが、前記レンズユニットに着脱可能に装着されることを特徴とする請求項１に記載のレンズユニットとキャップの組。
【請求項３】
前記マウントキャップには、円形状に窪む第１の凹状部が形成され、
前記対物側レンズキャップには、円板形状に突出する第１の凸状部が形成され、
前記撮像側レンズキャップには、前記第１の凹状部に挿入可能に突出する第２の凸状部と、前記第１の凸状部を挿入可能な円形状に窪む第２の凹状部とが形成され、
前記第１の凹状部に前記第２の凸状部が挿入された状態で、前記マウント側キャップ保持部が前記撮像側レンズキャップを保持し、
前記第１の凸状部が前記第２の凹状部に挿入された状態で、前記対物側キャップ保持部は前記撮像側レンズキャップを保持することを特徴とする請求項２に記載のレンズユニットとキャップの組。
【請求項４】
前記レンズユニットの前記対物側レンズキャップが装着される側の端部には、半径方向外側に向かって突起する第１の突起部が形成され、
前記対物側レンズキャップには光軸方向に突出する第２の突起部が形成され、
前記対物側レンズキャップが前記レンズユニットに装着されると、前記第１の突起部と前記第２の突起部とが係合することにより、前記対物側レンズキャップは前記レンズユニットに対して回転の範囲が規制されることを特徴とする請求項３に記載のレンズユニットとキャップの組。
【請求項５】
前記対物側レンズキャップの前記保持部材は、半径方向外側に突起する第３の突起部と、前記第３の突起部に光軸方向に隣接する第４の突起部とを有し、
前記撮像側レンズキャップは、半径方向内側に突出し円周方向の中間部に切欠きが形成される第５の突起部を有し、
前記第３の突起部が前記第５の突起部と係合することにより、前記撮像側レンズキャップが前記対物側レンズキャップに保持され、
前記第４の突起部が前記切欠きに係合することにより、前記対物側レンズキャップと前記撮像側レンズキャップの相対的な回転が規制されることを特徴とする請求項３または４に記載のレンズユニットとキャップの組。
【請求項６】
前記マウントキャップの前記第１の凹状部には、半径方向内側に突出する第６の突起部が形成され、
前記撮像側レンズキャップの前記第２の凸状部には、半径方向外側に突起する第７の突起部が形成され、
前記第１の凹状部に前記第２の凸状部が挿入された状態で、前記第６の突起部と前記第７の突起部とが係合することによって、前記撮像側レンズキャップが前記マウントキャップに保持されることを特徴とする請求項３から５のいずれか１項に記載のレンズユニットとキャップの組。
【請求項７】
前記撮像側レンズキャップの前記第２の凸状部には、半径方向外側に突起するストッパが形成され、
前記第６の突起部が前記ストッパに当接することによって、前記マウントキャップと前記撮像側レンズキャップの相対的な回転が規制されることを特徴とする請求項６に記載のレンズユニットとキャップの組。
【請求項８】
前記マウントキャップには、前記撮像装置の本体のマウント部に突出および没入が可能に設けられるロック部材に係合する位置と係合しない位置とに移動可能で、かつ、付勢部材によって前記ロック部材に係合しない位置に付勢される第１の摺動部材が設けられ、
前記第１の凹状部に前記第２の凸状部が挿入されると、前記第７の突起部が前記第１の摺動部材を押して前記ロック部材に係合する位置に移動させ、前記マウントキャップが前記撮像装置の本体に対して回転することを規制することを特徴とする請求項７に記載のレンズユニットとキャップの組。
【請求項９】
前記撮像側レンズキャップは、外周面に露出するとともに、半径方向に移動可能でかつ半径方向外側に付勢される第２の摺動部材を有し、
前記対物側レンズキャップは、前記レンズユニットに装着される側とは反対側の面において光軸方向に突出する第８の突起部を有し、
前記第１の凸状部が前記第２の凹状部に挿入されると、前記第８の突起部が前記第２の摺動部材を押して半径方向内側に移動させ、前記第２の凸状部の外周面に凹状の段差部を形成し、
前記マウントキャップに設けられる前記第１の摺動部材は、前記段差部と同位相に位置すると、前記付勢部材によって前記ロック部材に係合しない位置に移動し、前記マウントキャップが前記撮像装置の本体に対して回転可能になることを特徴とする請求項８に記載のレンズユニットとキャップの組。
【請求項１０】
前記レンズユニットは、バヨネット式により前記マウント部に着脱可能に装着されることを特徴とする請求項１から９のいずれか１項に記載のレンズユニットとキャップの組。
【発明の詳細な説明】
【技術分野】
【０００１】
本発明は、レンズユニットとキャップの組に関する。特に、本発明は、撮像装置に交換可能に装着できるレンズユニットと、このレンズユニットと撮像装置の本体に取り付けるキャップとの組に関する。
【背景技術】
【０００２】
従来、望遠写真や近接写真、特殊効果を施した写真を撮影するといった用途に応じて、レンズユニットを交換する、レンズ交換式の撮像装置が存在する。
撮像装置の本体に着脱可能なレンズユニットにおいて、対物側と撮像装置の本体側のそれぞれは、非使用時にレンズ等を保護するためのキャップが装着可能になっている。また、レンズ交換式の撮像装置の本体は、レンズユニットの取り外し時に内部構造を保護するためのキャップが装着可能になっている。
【０００３】
ところで、レンズ交換の際に、レンズユニットに取り付けられたキャップと、撮像装置の本体に取り付けられたキャップを取り外す必要がある。この取り外し作業は煩雑なものであった。
【０００４】
このような課題に対して、従来、たとえば特許文献１に記載のように、キャップ着脱補助部材を取り付けた撮像装置のキャリングケースが提案されている。また同様の課題に対して、たとえば、特許文献２のように、レンズキャップ保持および保持解除機構を取り付けたレンズが提案されている。
【先行技術文献】
【特許文献】
【０００５】
【特許文献１】特開２０１０−１５２０６０号公報
【特許文献２】特開平９−２１１６５７号公報
【発明の概要】
【発明が解決しようとする課題】
【０００６】
しかしながら、特許文献１に記載の構成では、撮像装置のキャリングケースなどといった、レンズ着脱補助部材の取り付け対象が必要となる。キャリングケースを持たないユーザにとって、撮像装置単体でキャップの取り外しが可能であることが、より便利である。
また、特許文献２に記載の構成では、撮像装置の本体側のキャップに関して言及がない。従って、ユーザがレンズユニットを取り付けようとして撮像装置の本体とレンズユニットを手に取った際、一度どちらかを置いてからもう一方のキャップを取り外すなどする必要があり、交換作業に煩雑さが残る。
本発明は、上記の問題を鑑み、キャップの取り外しや取り付け作業を簡単にすることができるレンズユニットとキャップの組を提供することを目的とする。
【課題を解決するための手段】
【０００７】
前記課題を解決するため、本発明は、撮像装置の本体のマウント部に着脱可能に装着されるレンズユニットと、前記撮像装置の本体の前記マウント部に着脱可能に装着されるマウントキャップと、前記レンズユニットの前記マウント部に装着される側に着脱可能に装着される撮像側レンズキャップと、前記レンズユニットの前記撮像側レンズキャップが装着される側とは反対側に着脱可能に装着される対物側レンズキャップと、を含むレンズユニットとキャップの組であって、前記マウントキャップは、前記撮像側レンズキャップを着脱可能に保持するマウント側キャップ保持部を有し、前記対物側レンズキャップは、前記マウントキャップに保持された前記撮像側レンズキャップを着脱可能に保持する対物側キャップ保持部を有することを特徴とする。
【発明の効果】
【０００８】
本発明によれば、ユーザがカメラとレンズを持ちつつ、カメラのキャップとレンズのマウント側キャップを取り外し、レンズをカメラに取り付けることができる。
【図面の簡単な説明】
【０００９】
【図１】（ａ）は第１の実施形態にかかるレンズユニットを、撮像装置の本体に取り付ける手順を模式的に表す斜視図であり、（ｂ）は撮像装置の本体に設けられた、マウントロックピンとロック解除部材を表す図である。
【図２】撮像装置の本体に設けられた、マウント部周辺を表す斜視図である。
【図３】レンズユニットを撮像側から見た斜視図である。
【図４】レンズユニットをレンズマウント部に挿入した状態での、レンズユニットとレンズマウント部の撮像側の関係を示した図である。
【図５】レンズユニットを挿入した状態での、マウントロックピンとロック解除部材の位置を表す図である。
【図６】レンズユニットをレンズマウント部に挿入した後に、ストッパ当接位置まで回転させた図である。
【図７】図６におけるマウントロックピンと、マウントロック穴との位相を表す図である。
【図８】（ａ）は撮像装置の本体にレンズユニットを装着した状態を表す斜視図であり、（ｂ）はマウントロックピンとロック解除部材が連動していることを表す図である。
【図９】（ａ）はレンズユニットに、対物側レンズキャップと撮像側レンズキャップを取り付けた状態を表す斜視図であり、（ｂ）はレンズユニットに、対物側レンズキャップと撮像側レンズキャップを取り付けた状態を撮像側から見た斜視図である。
【図１０】撮像装置の本体に、マウントキャップを取り付けた状態を表す斜視図である。
【図１１】対物側レンズキャップの構成を示す図である。
【図１２】撮像側レンズキャップの構成を示す図である。
【図１３】マウントキャップの構成を示す図である。
【図１４】マウントとマウントキャップとの関係を示す図である。
【図１５】レンズユニットに保持された対物側レンズキャップを表す図である。
【図１６】レンズユニットに装着された撮像側レンズキャップを、撮像装置の本体に装着されたマウントキャップに挿入した状態を示す斜視図である。
【図１７】撮像側レンズキャップがマウントキャップに保持され、レンズから取り外された状態を示す斜視図である。
【図１８】マウントキャップに保持された撮像側レンズキャップに、対物側レンズキャップを挿入した状態を示す図である。
【図１９】（ａ）はマウントキャップが回転規制された状態を示す要部断面斜視図であり、（ｂ）はマウントキャップの回転規制が解除された状態を示す要部断面斜視図である。
【図２０】回転規制が解除された後に、マウントキャップを回転させた状態を示す、要部断面斜視図である。
【図２１】レンズユニットの対物側に、対物側レンズキャップと撮像側レンズキャップとマウントキャップを装着した状態を示す斜視図である。
【図２２】対物側レンズキャップを、レンズユニットから取り外す手順を説明する図である。
【図２３】レンズユニットから取り外された、対物側レンズキャップと撮像側レンズキャップとマウントキャップのセットを示す斜視図である。
【図２４】レンズユニットを撮像装置の本体に取り付ける手順を示す図である。
【図２５】第２の実施例にかかる対物側レンズキャップを示す斜視図である。
【図２６】第２の実施例にかかる撮像側レンズキャップを示す図である。
【図２７】（ａ）（ｂ）は撮像側レンズキャップがマウントキャップに保持されレンズユニットから取り外された状態を示す斜視図であり、（ｃ）（ｄ）は撮像側レンズキャップに、対物側レンズキャップを挿入した状態を示す要部断面斜視図である。
【図２８】（ａ）は摺動部材とマウントキャップ回転規制部材とマウントロックピンの位相がそろった状態を示す要部断面斜視図であり、（ｂ）はマウントキャップの回転規制を解除し、マウントキャップを回転させた状態を示す要部断面斜視図である。
【図２９】レンズユニットを撮像装置の本体に装着する手順を示す図である。
【発明を実施するための形態】
【００１０】
以下、本発明の実施の形態について、図面を参照しながら説明する。説明の便宜上、レンズユニット１については、撮像装置の本体２の側を「撮像側」または「後側」と称し、その反対側の被写体に向ける側を「対物側」または「前側」と称する。レンズユニット１に装着されるキャップについても、レンズユニット１と同様とする。撮像装置の本体２については、レンズユニット１が装着される側を「前側」と称し、その反対側を「後側」と称する。撮像装置の本体２に装着されるキャップについても、撮像装置の本体２と同様とする。また、レンズユニット１およびレンズマウント部２０における光軸方向を、単に光軸方向と称する。
【００１１】
＜第１の実施形態＞
図１（ａ）は、本発明の第１の実施形態にかかるレンズユニット１と撮像装置の本体２を表す斜視図である。
１は交換可能なレンズユニットである。レンズユニット１は、撮像装置の本体２のレンズマウント部２０に着脱可能な構成を有する。図中、ｄ０はレンズユニット１の外径である。レンズユニット１の内部には、レンズユニット１の仕様に応じて、ズーム機構や手ぶれ補正機構などが搭載される。また、レンズユニット１の対物側の端部には、対物側レンズ１１と、対物側レンズ１１の外周を囲む環状の縁部１２（対物側キャップ保持部の一例）とが設けられる。縁部１２の外周側には、第１の突起部の一例として、半径ｒ１の２つの円弧形状の突起部１３が設けられる。２つの突起部１３は、縁部１２の外壁の先端部から半径方向外側に突出する。また、２つの突起部１３は円周方向に関して互いに離れている。縁部１２の内周側には、たとえば雌ネジなどの凹凸１５が形成されている。
【００１２】
撮像装置の本体２の前面には、レンズマウント部２０が設けられている。レンズマウント部２０は、中心に開口部２１が形成される円環形状に形成される。レンズマウント部２０の円周部には、ロック部材として前側に突出するマウントロックピン２２（ロック部材）が設けられている。また、撮像装置の本体２の前面には、ロック解除ボタン２２２が設けられる。
図１（ｂ）は、マウントロックピン２２とロック解除ボタン２２２の構成を示す断面模式図である。図１（ｂ）に示すように、マウントロックピン２２は、レンズマウント部２０に形成される穴２２３に挿通されている。そして、マウントロックピン２２は、バネ２２１によって撮像装置の本体２の前方（図中に置いて上側）に付勢されている。マウントロックピン２２は、連結部材２２４によってロック解除ボタン２２２と連結されている。このため、ユーザは、ロック解除ボタン２２２を後方（図中に置いて下側）に押し下げることによって、マウントロックピン２２をレンズマウント部２０に没入させることができる。
ユーザは、レンズ側指標１８を本体側指標２５に位置合わせして、レンズユニット１を矢印Ａ方向（後側）にレンズマウント部２０に当接する位置まで挿入する。そしてその後、ユーザは、レンズユニット１を矢印Ｂ方向に所定の角度回転させることで、レンズユニット１を撮像装置の本体２に装着できる。
【００１３】
図２は、撮像装置の本体２に設けられたレンズマウント部２０およびその周辺を模式的に表す斜視図である。図２に示すように、レンズマウント部２０は、撮像装置の本体２の前面から前方に突出する円環形状の構成を有する。レンズマウント部２０の前面は、レンズユニット１が当接するレンズ当接面２６である。レンズマウント部２０の内壁には、円弧形状でリブ状の３個の突起部２３が、レンズマウント部２０のレンズ当接面２６から後方の位置に、円周方向に等間隔に配置されている。図中のｔ１は、レンズ当接面２６から突起部２３の後側の面までの距離である。図中の２３１は、突起部２３の円周方向の端面である。
【００１４】
図３は、レンズユニット１の後部を撮像装置の本体２の側方から見た斜視図である。レンズユニット１の後面は、レンズマウント部２０のレンズ当接面２６に当接するマウント当接面１６が形成される。マウント当接面１６には、後方に突出する円板形状の凸状部１７（マウント側キャップ保持部の一例）が設けられる。凸状部１７の側面（外周面）には、円弧形状でリブ状の３個の突起部１７１が、円周方向に等間隔に配置される。
図中のｔ２は、マウント当接面１６から突起部１７１の前側の面までの距離である。この距離ｔ２は、図２に示す距離ｔ１と等しい。突起部１７１とマウント当接面１６との間には、ストッパ部材１７２が設けられている。また、マウント当接面１６には、マウントロック穴１６１が形成される。マウントロック穴１６１には、レンズユニット１が撮像装置の本体２に装着された状態において、マウントロックピン２２が嵌まり込む。これにより、レンズユニット１と撮像装置の本体２との相対的な回転が規制される。
【００１５】
図４は、レンズマウント部２０とレンズユニット１の撮像側の関係を示した図である。特に図４は、レンズユニット１が、図１におけるレンズ側指標１８と本体側指標２５とが合わせられて矢印Ａ方向（後側）に挿入された状態を示す。レンズユニット１の突起部１７１と、レンズマウント部２０の突起部２３とが円周方向に交互に位置する位相となる。この際、マウントロックピン２２は、レンズユニット１のマウント当接面１６に当接する。
図５は、レンズマウント部２０とレンズユニット１が図４に示す位置関係になった場合における、マウントロックピン２２の状態を示す模式図である。図５に示すように、マウントロックピン２２は、その前端がレンズマウント部２０の前面と同一面となるように没入している。
図６は、図４に示す位置関係から、ユーザがレンズユニット１を矢印Ｂの方向に回転させた状態を示す模式図である。図６に示すように、ユーザが、レンズユニット１を矢印Ｂ方向に回転させると、突起部１７１と突起部２３と光軸方向に重なる。そして、ストッパ部材１７２が突起部２３の円周方向端部２３１に当接する。この状態では、突起部２３が、レンズユニット１のマウント当接面１６と突起部１７１とに挟まれる。これにより、レンズユニット１の光軸方向の位置が規制される。
図７は、図６に示す位置関係における、マウントロックピン２２とマウントロック穴１６１との関係を模式的に示す分解斜視図である。図７に示すように、レンズユニット１のマウント当接面１６に設けられるマウントロック穴１６１と、撮像装置の本体２に設けられるマウントロックピン２２とが同位相となる。そして、マウントロックピン２２がレンズマウント部２０の前面から突出して、マウントロック穴１６１と係合する。これにより、レンズユニット１の回転が規制される。
このように、レンズユニット１は、いわゆる「バヨネット式マウント」によって、撮像装置の本体２に着脱可能に装着される。後述する撮像側レンズキャップ４は、バヨネット式マウントに類似した手順によって、レンズユニット１に着脱可能に装着される。
【００１６】
図８（ａ）は、撮像装置の本体２にレンズユニット１が装着された状態を表す斜視図である。この状態で、ユーザは、レリーズボタン２４を押すことで撮影することができる。ユーザは、レンズユニット１を取り外す場合には、まず、ロック解除ボタン２２２を押す。
図８（ｂ）は、ロック解除ボタン２２２とマウントロックピン２２の構成を模式的に示す斜視図である。図８（ｂ）に示すように、ロック解除ボタン２２２は、マウントロックピン２２と連動している。このため、ロック解除ボタン２２２が押下されると、マウントロックピン２２がレンズ当接面２６と同一面になるように没入し、マウントロック穴１６１との回転規制が解除される。そして、ユーザは、レンズユニット１を、矢印Ｂ’の方向（矢印Ｂとは反対方向）に回転させ、さらにその後、矢印Ａ’方向（前側）に移動させればよい。
【００１７】
図９（ａ）は、レンズユニット１の前側からの外観斜視図である。図９（ｂ）は、レンズユニット１の後側からの外観斜視図である。図９（ａ）と図９（ｂ）は、レンズユニット１が、撮像装置の本体２から取り外され、対物側レンズキャップ３と撮像側レンズキャップ４が装着されている状態を示す。図１０は、撮像装置の本体２の斜視図であって、レンズユニット１が取り外され、マウントキャップ５が装着された状態を示す図である。
図９（ａ）、図９（ｂ）、図１０に示すように、レンズユニット１が撮像装置の本体２から取り外されている場合には、ユーザは、レンズユニット１におけるレンズマウント部２０に装着される側の端部に、撮像側レンズキャップ４を装着する。また、その反対側である被写体に向ける側の端部に対物側レンズキャップ３を装着する。また、ユーザは、撮像装置の本体２のレンズマウント部２０にマウントキャップ５を装着する。これによって、レンズユニット１の対物側レンズ１１（図１参照）および撮像側レンズ１７９（図３参照）と、撮像装置の本体２の内部を保護する。以下、対物側レンズキャップ３を「キャップ（Ｆ）３」と称し、撮像側レンズキャップ４を「キャップ（Ｒ）４」と称する。
【００１８】
次に、図１１を用いて、キャップ（Ｆ）３の構成の詳細を説明する。
図１１（ａ）は、キャップ（Ｆ）３の前側を示す斜視図である。キャップ（Ｆ）３の本体３５は、直径ｄ１の円板形状部３３と、直径ｄ２の円板形状に形成される凸状部３４（第１の凸状部の一例）とが、光軸方向に同軸に重なった構成を有している。このように、凸状部３４は、円板形状部３３から光軸方向前側に突出する構成を有する。直径ｄ１は、図１に示すレンズユニット１の外径ｄ０と略等しい。本体３５の外周の一部が切り欠かれている。切欠かれた部分には、キャップ（Ｆ）保持部材３１，３２が配置される。キャップ（Ｆ）保持部材３１，３２には、円弧形状を有し、半径方向外側に突起する突起部３１２，３２２（第３の突起部の一例）が形成される。これらの突起部３１２，３２２は、キャップの本体３５の前面に形成される平面部３６と同一面に設けられる。そして、突起部３１２，３２２の前面は、半径方向外側に向かうにしたがって後退する勾配３１３，３２３を有する。図１１（ａ）におけるｄ３は、突起部３１２，３２２の最大外径を示す。ここで、直径ｄ１＞直径ｄ３＞直径ｄ２である。
【００１９】
図１１（ｂ）は、キャップ（Ｆ）３の後側を表す図である。キャップ（Ｆ）３の本体３５の外周部には、光軸方向撮像側に突出する突起部３７（第２の突起部の一例）が設けられる。突起部３７は後面視において円弧形状であり、その外径ｒ２は、レンズユニット１の突起部１３の半径ｒ１と等しい。また、キャップ（Ｆ）保持部材３１，３２の外周面には、凹凸から成る係合部３１５，３２５が設けられている。キャップ（Ｆ）保持部材３１，３２は、本体３５と板部材３８とで光軸方向に挟まれており、これにより、光軸方向の位置が規制される。
【００２０】
図１１（ｃ）は、板部材３８が取り外された状態を示す斜視図である。板部材３８が取り外されると、図１１（ｃ）に示すように、内部構造が現れる。キャップ（Ｆ）保持部材３１，３２は、キャップ（Ｆ）３の半径方向に往復移動可能である。キャップ（Ｆ）保持部材３１，３２どうしの間には、付勢部材として、樹脂からなる板バネ３９が設けられる。この板バネ３９は、キャップ（Ｆ）保持部材３１，３２を半径方向外側に付勢する。ユーザは、キャップ（Ｆ）保持部材３１，３２を、付勢部材としての板バネ３９の付勢力に抗して半径方向中心側に押すことによって、半径方向中心側に向かって摺動させることができる（摺動可能）。
図１１（ｄ）は、キャップ（Ｆ）３を図１１（ａ）における矢印Ｃから見た斜視図である。キャップ（Ｆ）保持部材３２には、突起部３２２と光軸方向の後側に隣接した位置に、突起部３２４（第４の突起部の一例）が設けられる。図１１（ｄ）において、ｗ１は、突起部３２４の幅（円周方向寸法）を表している。
【００２１】
図１２（ａ）は、キャップ（Ｒ）４を前側（対物側）から見た斜視図である。図１２（ｂ）は、キャップ（Ｒ）４の正面図である。キャップ（Ｒ）４には、前側に開放する開口部４３が形成される。開口部４３は、平板状の底面４１と円筒状の側面からなる円形空間部４２と、円形空間部４２より径の大きい開口部である凹状部４４（第２の凹状部の一例）とが、同軸に隣接して形成される構成を有する。凹状部４４は、光軸方向に円形状に窪む凹部である。凹状部４４の内径ｄ４は、前述のキャップ（Ｆ）３に設けられる凸状部３４を挿入可能な径である。たとえば、突起部３１２，３２２の最大外径ｄ３に等しい（図１１（ａ）参照）。凹状部４４の側壁には、円弧形状でリブ状の３つの突起部４４１，４４２（第５の突起部の一例）が、円周方向に等間隔に設けられている。図中、ｄ５は、円弧形状の突起部４４１，４４２の内径である。この内径ｄ５は、キャップ（Ｆ）３に形成される凸状部３４の外径ｄ２と等しい（図１１（ａ）参照）。３つのうちの１つの突起部４４２には、円周方向の中間部に幅ｗ２の切欠き４４３が形成される。幅ｗ２は、キャップ（Ｆ）３における突起部３２４の幅ｗ１と等しい。また、突起部４４１，４４２の円周方向両端の側壁４４４は、円周方向との成す角度θが９０°より小さくなるように設定される。
【００２２】
図１２（ｃ）は、キャップ（Ｒ）４を撮像側から見た図である。図１２（ｃ）に示すように、キャップ（Ｒ）４は、撮像側から見ると、円板形状に形成される凸状部４５（第２の凸状部の一例）と、円板形状部４６が同軸に光軸方向に隣接する構成となっている。凸状部４５は、図１２（ａ）の円形空間部４２の裏面に対応する部分である。円板形状部４６は、凹状部４４の裏面に対応する部分である。そして、凸状部４５は、円板形状部４６から光軸方向後側に突出する円板形状の構成を有する。ｒ３は、凸状部４５の半径を示す。凸状部４５の側壁には、３つの円弧形状のリブ状の突起部４５１（第７の突起部の一例）が、円周方向に等間隔に配置されている。ｄ６は突起部４５１の外径である。突起部４５１の矢印Ｄから見て（撮像側から見て）円周方向の反時計回り側の端部には、ストッパ４５２が配置されている。ストッパ４５２は、凸状部４５の外周から半径方向外側に向かって突出するリブ状の構成を有し、その外径はｄ６に等しい。
【００２３】
図１３（ａ）は、マウントキャップ５を示す斜視図である。マウントキャップ５は、全体として円板形状を有している。マウントキャップ５の中心には、平面部５１２が底面となる有底の円筒状に形成され、光軸方向後側に窪む円形空間である、凹状部５１（第１の凹状部の一例）が形成される。凹状部５１の側壁５２（内周面）には、半径方向内側に突出し、円弧形状でリブ状の３つの突起部５３（第６の突起部の一例）が、円周方向に等間隔に設けられている。ｔ３は、突起部５３の光軸方向寸法を示す。
マウントキャップ５の凹状部５１は、レンズキャップ（Ｒ）４の凸状部４５を挿入可能に構成される。たとえば、凹状部５１の内径ｄ７は、レンズキャップ（Ｒ）４に設けられる突起部４５１の外径ｄ６と略等しい。
また、凹状部５１の側壁５２と平面部５１２（底面）に跨る位置に、マウントキャップ５の回転を規制する部材である摺動部材５４（第１の摺動部材の一例）が設けられている。このほか、マウントキャップ５の前面には、キャップ（Ｍ）側指標５９が設けられる。キャップ（Ｍ）側指標５９は、マウントキャップ５を撮像装置の本体２に装着する際に、本体側指標２５と位相を合わせるための指標である。
【００２４】
図１３（ｂ）は、マウントキャップ５の摺動部材５４およびその周辺の詳細図である。摺動部材５４は、半径方向内側（矢印Ｅの方向）に向かって付勢されている。摺動部材５４には、傾斜面５４１が設けられている。傾斜面５４１は、半径方向中心に向かうにしたがって後退する態様の傾斜面である。マウントキャップ５の中心から傾斜面５４１の端部５４２（半径方向内側の面）までの距離は、レンズキャップ（Ｒ）４の凸状部４５の半径ｒ３より小さい。
【００２５】
図１３（ｃ）は、マウントキャップ５を裏側から見た斜視図である。摺動部材５４は、ホルダ５５によって矢印ＥおよびＥ’方向（半径方向）に摺動可能（往復移動可能）に保持される。また、マウントキャップ５の後側には、付勢部材であるバネ５６が配置されている。この付勢部材であるバネ５６は、摺動部材５４を、矢印Ｅの方向（半径方向内側）に付勢する。マウントキャップ５の後側には、レンズマウント部２０に装着された状態で、レンズマウント部２０のレンズ当接面２６に当接するマウント当接面５７１が形成される。さらに、マウントキャップ５の後側には、マウント当接面５７１から後側に向かって突出する円板形状部５７が形成される。円板形状部５７の外周面には、半径方向外側に突出し、円弧形状でリブ状の３個の突起部５８が、円周方向に等間隔に配置されている。マウント当接面５７１から突起部５８までの距離は、レンズマウント部２０のレンズ当接面２６から突起部２３までの距離ｔ１と等しい（図２参照）。それぞれの突起部５８の円周方向端部には、ストッパ５８１が設けられている。ストッパ５８１は、ストッパ５８１からマウント当接面５７１に至るリブ状に形成される。
【００２６】
図１３（ｄ）は、摺動部材５４およびその周辺を後側から見た詳細図である。摺動部材５４の後側には、円弧形状で半径方向外側に開放する切欠き５４２が設けられている。切欠き５４２の内径は、レンズマウント部２０のマウントロックピン２２が嵌まり込むことができる径に形成される。たとえば、切欠き５４２の内径は、マウントロックピン２２の外径に略等しい。摺動部材５４は、傾斜面５４１が後側に向かって押されると、その半径方向分力によって、付勢部材であるバネ５６の付勢力に抗して矢印Ｅ’の方向に摺動する。
【００２７】
次いで、図１４を参照して、マウントキャップ５を撮像装置の本体２に装着する手順を説明する。
ユーザは、まず、撮像装置の本体２の本体側指標２５と、マウントキャップ５のキャップ（Ｍ）側指標５９との位相を合わせて、マウントキャップ５を撮像装置の本体２に挿入する。図１４（ａ）は、前記のようにマウントキャップ５が撮像装置の本体２に挿入された状態において、レンズマウント部２０とマウントキャップ５の円板形状部５７およびそれらの周辺との関係を示す図である。ユーザは、マウントキャップ５を、突起部５８がレンズマウント部２０の突起部２３と円周方向に交互に位置する位相で、撮像装置の本体２のレンズマウント部２０に挿入する。この際、撮像装置の本体２に設けられた本体側指標２５と、マウントキャップ５に設けられたキャップ（Ｍ）側指標５９は、同位相にある。したがって、ユーザは、本体側指標２５とキャップ（Ｍ）側指標５９とを位置合わせることによって、マウントキャップ５をレンズマウント部２０に挿入できる。
ユーザは、マウントキャップ５を撮像装置の本体２に挿入して矢印Ｂ方向に回転させる。図１４（ｂ）は、マウントキャップ５が撮像装置の本体２に挿入されて矢印Ｂの方向に回転させられた状態を示す図である。図１４（ｂ）に示すように、ストッパ５８１が突起部２３の円周方向端部に当接する。これにより、それ以上の回転が規制される。そして、この状態では、突起部５８と突起部２３とが光軸方向に重複する。このため、マウントキャップ５の光軸方向の位置が規制される。このようにして、マウントキャップ５が撮像装置の本体２のレンズマウント部２０に係合する。
マウントキャップ５がレンズマウント部２０に係合し、ストッパ５８１が突起部２３の円周方向の端部に当接する位置で、穴２２３およびマウントロックピン２２と摺動部材５４との円周方向位置が一致する。
図１４（ｃ）は、図１４（ｂ）の状態を前側から見た図である。この状態では、マウントロックピン２２と摺動部材５４との円周方向位置が一致する。
【００２８】
図１５を用いて、キャップ（Ｆ）３をレンズユニット１に装着する手順について説明する。
図１５（ａ）は、キャップ（Ｆ）保持部材３１およびその周辺を、レンズユニット１を切断して示した模式図である。ユーザは、キャップ（Ｆ）保持部材３１を、手動で半径方向中心側（矢印Ｇ方向）に摺動させた後、キャップ（Ｆ）３をレンズユニット１の縁部１２に挿入する。その後、ユーザは、樹脂などからなる板バネ３９（図１１（ｄ）参照）による付勢を利用して、キャップ（Ｆ）保持部材３１を元の位置に戻す。そうすると、縁部１２の内周側に設けられた凹凸１５と、キャップ（Ｆ）保持部材３１に設けられた凹凸形状からなる係合部３１５とが係合する。キャップ（Ｆ）保持部材３２も、同様に縁部１２の凹凸１５に係合する。これにより、キャップ（Ｆ）３をレンズユニット１に装着できる。
図１５（ｂ）は、キャップ（Ｆ）３がレンズユニット１に装着された状態を示す部分透視図である。この状態において、図１５（ｂ）に示すように、突起部１３の円周方向端部１３１と突起部３７の円周方向端部とが当接する。これによって、キャップ（Ｆ）３とレンズユニット１の相対角度が、所定の範囲で規制される。
【００２９】
次に、図１６〜図２２を用いて、レンズユニット１と撮像装置の本体２にそれぞれキャップが装着された状態から、レンズユニット１を撮像装置の本体２にマウントするまでの手順を説明する。
図１６〜図１８は、レンズユニット１に装着されたキャップ（Ｒ）４を撮像装置の本体２に装着されたマウントキャップ５に挿入した後に回転させて、マウントキャップ５にキャップ（Ｒ）４を保持させた状態に至るまでを説明する図である。基本的に、バヨネット式マウントに類似した保持方法である。
【００３０】
図１６（ａ）は、レンズユニット１に装着されたキャップ（Ｒ）４が、撮像装置の本体２に装着されたマウントキャップ５に挿入された状態を示す斜視図である。ユーザは、挿入する際に、キャップ（Ｒ）４に設けられたキャップ（Ｒ）側指標４９とマウントキャップ５に設けられたキャップ（Ｍ）側指標５９の位相を合わせる。
図１６（ｂ）は、図１６（ａ）に示す状態において、キャップ（Ｒ）４の突起部４５１とマウントキャップ５の突起部５３の関係を示す図である。突起部５３と突起部４５１とが、円周方向に交互に位置する位相関係になる。この状態において、マウントロックピン２２と同位相の位置に、摺動部材５４が位置する。このため、摺動部材５４が凸状部４５に当接して矢印Ｅ’の方向に移動し、切欠き５４２がマウントロックピン２２に係合する。切欠き５４２とマウントロックピン２２の係合によって、マウントキャップ５と撮像装置の本体２との回転が規制される。
この後、ユーザは、矢印Ｂ’方向に、レンズユニット１とキャップ（Ｆ）３とキャップ（Ｒ）４とのセットを回転させる（図１６（ａ）参照）。そうすると、突起部５３と突起部４５１とが光軸方向（前後方向）に重なる。そして、図１６（ｃ）に示すように、ストッパ４５２と突起部２３の円周方向端部とが当接して回転を規制する。さらに、図１６（ｄ）に示すように、摺動部材５４が突起部４５１に当接して矢印Ｅ’の方向にさらに移動し、切欠き５４２とマウントロックピン２２とが完全に係合する。
図１６（ｅ）は、この時点における、撮像装置の本体２とレンズユニット１との外観を示す図である。
ユーザは、この状態から、矢印Ｂ’の方向に、レンズユニット１とキャップ（Ｆ）３のセットを回転させる。そうすると、図１７に示すようにキャップ（Ｒ）４はマウントキャップ５に保持され、レンズユニット１から取り外される。
【００３１】
次に、図１８〜図２１を用いて、キャップ（Ｒ）４とマウントキャップ５のセットを、レンズユニット１に装着されたキャップ（Ｆ）３に保持させて撮像装置の本体２から取り外す方法について説明する。
図１８（ａ）は、キャップ（Ｆ）３の凸状部３４（図１１（ａ）参照）が、キャップ（Ｒ）４の円形空間である凹状部４４（図１２（ａ））に挿入された状態を示す図である。ユーザは、キャップ（Ｆ）３の凸状部３４を、キャップ（Ｒ）４の凹状部４４に挿入する。そうすると、キャップ（Ｆ）３の突起部３１２，３２２に設けられた勾配３１３，３２３が、突起部４４１，４４２と当接して、キャップ（Ｆ）保持部材３１，３２が半径方向中心側に摺動する。
ユーザが、キャップ（Ｆ）３の凸状部３４をさらに挿入すると、図１８（ｂ）に示すように、キャップ（Ｆ）３の突起部３１２，３２２が元の位置に戻り、突起部４４１，４４２とが係合する。これにより、キャップ（Ｒ）４の矢印Ａ方向（光軸方向）の相対移動が規制される。また、キャップ（Ｆ）３の突起部３７と突起部１３とが当接する。これにより、相対的な回転が規制される。
【００３２】
図１８（ｃ）に示すように、キャップ（Ｆ）３は、キャップ（Ｒ）４に対して、任意の位相で挿入可能である。そして、キャップ（Ｆ）３は、キャップ（Ｒ）４に対して相対的に回転可能である。
図１８（ｄ）に示すように、ユーザがキャップ（Ｆ）３を矢印Ｂ方向に回転させると、突起部３２４が側壁４４４に当接する。そうすると、キャップ（Ｆ）保持部材３２が半径方向中心側（矢印Ｇ方向）に移動する。ユーザがキャップ（Ｆ）３をさらに回転させると、突起部３２４は、切欠き４４３と係合する。
図１８（ｅ）は、キャップ（Ｒ）４の一部を切断して、内部の状態を示した模式図である。図１８（ｅ）に示すように、キャップ（Ｆ）３の突起部３２４と、キャップ（Ｒ）４の切欠き４４３とが係合している。その結果、キャップ（Ｆ）３とキャップ（Ｒ）４との回転が規制される。
【００３３】
図１９（ａ）は、図１８（ａ）に示す状態において、レンズマウント部２０の一部とマウントキャップ５の一部を切断した図である。マウントロックピン２２が、摺動部材５４の切欠き５４２に係合している。マウントロックピン２２は、撮像装置の本体２に設けられたロック解除ボタン２２２と連動し、矢印Ａ方向（後側）に移動可能である。
図１９（ｂ）は、マウントロックピン２２がレンズマウント部２０と同一面まで没入した状態を示す図である。図１９（ｂ）に示すように、ユーザは、ロック解除ボタン２２２を押下して、マウントロックピン２２をレンズマウント部２０と同一面にまで没入させる。そうすると、切欠き５４２とマウントロックピン２２の係合が解除される。これにより、レンズマウント部２０とマウントキャップ５とが相対的に回転可能になる。
図２０は、図１９（ｂ）に示す状態から、レンズユニット１とキャップ（Ｆ）３とキャップ（Ｒ）４とマウントキャップ５とのセットが矢印Ｂ’方向に回転した状態を示す図である。図２０に示すように、ユーザは、レンズユニット１とキャップ（Ｆ）３とキャップ（Ｒ）４とマウントキャップ５とのセットを矢印Ｂ’方向に回転させる。そうすると、これらのセットをレンズマウント部２０から取り外すことができる。
図２１は、レンズマウント部２０から、それぞれ、キャップ（Ｒ）４とマウントキャップ５が取り外された状態を示す図である。図２１に示すように、キャップ（Ｒ）４とマウントキャップ５は、一体に結合した状態で、かつ、レンズユニット１に装着されたキャップ（Ｆ）３に保持された状態で、レンズマウント部２０から取り外される。この結果、レンズユニット１の対物側にキャップ（Ｆ）３とキャップ（Ｒ）４とマウントキャップ５が保持された状態で、レンズユニット１の撮像側をレンズマウント部２０に装着することが可能になる。
【００３４】
図２２は、キャップ（Ｆ）３とキャップ（Ｒ）４とマウントキャップ５とを、レンズユニット１から取り外す方法を示す模式図である。これらのセットをレンズユニット１から取り外すには、図２２に示すように、ユーザは、指などで、キャップ（Ｆ）保持部材３１，３２を、キャップ（Ｆ）３の半径方向中心（キャップ（Ｆ）保持部材３１に関しては矢印Ｇの方向）に移動させる。そして、凹凸１５と係合部３１５の係合を解除する。
図２３は、キャップ（Ｆ）３とキャップ（Ｒ）４とマウントキャップ５がレンズユニット１から取り外された状態を示す図である。図２３に示すように、３つのキャップが一纏まりになった状態で、レンズユニット１から取り外すことができる。
【００３５】
このように、図１〜図２３で示した構成により、図２４に示すレンズユニット１の装着の手順を実現できる。図２４中、レンズユニット１の対物側を、符号Ｆを付して示す。
図２４（ａ）は、ユーザがレンズユニット１と撮像装置の本体２を手に取った初期状態を表す。レンズユニット１の撮像側にはキャップ（Ｒ）４が装着され、その反対側である対物側にはキャップ（Ｆ）３が装着されている。また、撮像装置の本体２のレンズマウント部２０には、マウントキャップ５が装着されている。
【００３６】
図２４（ｂ）は、レンズユニット１からキャップ（Ｒ）４が取り外された状態を示す模式図である。図２４（ａ）に示す状態から、ユーザは、キャップ（Ｒ）４をマウントキャップ５に挿入して回転が規制される位相まで回転させる。そうすると、マウントキャップ５はレンズマウント部２０に対して回転が規制される。このため、ユーザは、さらにレンズユニット１を回転させることにより、キャップ（Ｒ）４をレンズユニット１から取り外すことが可能になる。その結果、図２４（ｂ）に示すように、マウントキャップ５にキャップ（Ｒ）４を保持させることができる。
【００３７】
図２４（ｃ）は、レンズユニット１に装着されたキャップ（Ｆ）３に、キャップ（Ｒ）４とマウントキャップ５を保持させた状態を示す模式図である。ユーザは、図２５（ｂ）に示す状態から、レンズユニット１を反転させ、キャップ（Ｆ）３をキャップ（Ｒ）４の内部に挿入する。さらにその後、ユーザは、ロック解除ボタン２２２を押す。これにより、マウントキャップ５とレンズマウント部２０との回転の規制が解除される。ここで、マウントキャップ５は、キャップ（Ｒ）４に対して一方向に回転が規制されている。キャップ（Ｒ）４は、キャップ（Ｆ）３に対して回転が規制されている。キャップ（Ｆ）３は、レンズユニット１に対して所定の角度範囲で回転が規制されている。このため、ユーザは、レンズユニット１を回転させることで、図２４（ｃ）のように、マウントキャップ５を撮像装置の本体２から取り外すことができる。
【００３８】
図２４（ｄ）は、レンズユニット１が撮像装置の本体２のレンズマウント部２０に装着された状態を示す模式図である。キャップ（Ｆ）３とキャップ（Ｒ）４とマウントキャップ５とのセットは、レンズユニット１に保持されているので、レンズユニット１の撮像側とレンズマウント部２０が露出する。したがって、図２４（ｄ）に示すように、ユーザは、レンズユニット１をレンズマウント部２０に装着することができる。
このように、ユーザは、簡便な操作で、レンズユニット１を撮像装置の本体２に取り付けることができる。
【００３９】
逆に、レンズユニット１が撮像装置の本体２のレンズマウント部２０に装着され、図２３に示すように３つのキャップがセットになった状態から、図９と図１０の元の状態に戻すには、これまでに説明した内容の逆の手順を辿れば良い。
また、図２３に示すように、ユーザは、キャップがセットになった状態から、キャップ（Ｆ）３だけを取り外して、撮像装置の本体２に装着されたレンズユニット１の対物側に装着することも可能である。
【００４０】
＜第２の実施形態＞
次に、図２５〜図２７を用いて、本発明の第２の実施形態にかかる部品構成および取り外し手順を説明する。第２の実施形態のレンズマウント部とマウントキャップおよびレンズユニットは、第１の実施形態と同じである。なお、第１の実施形態と共通の構成については、同じ符号を付し、説明を省略することがある。
【００４１】
図２５を用いて、キャップ（Ｆ）６の構成の詳細を説明する。
図２５（ａ）は、キャップ（Ｆ）６の対物側を示す斜視図である。キャップ（Ｆ）６の本体３５は、直径ｄ１の円板形状部３３と、直径ｄ８の円板形状に形成される凸状部３４（第１の凸状部の一例）とが、同軸に重なった構成を有する。そして、キャップ（Ｆ）６は、外周の一部が切欠かれた構成を有している。切欠かれた部分には、キャップ（Ｆ）保持部材３１，３２が配置される。キャップ（Ｆ）保持部材３１，３２には、キャップ（Ｆ）６の本体３５の平面部３６（前面）と同一面に、円弧形状でリブ状の突起部３１２，３２２（第３の突起部の一例）が形成される。突起部３１２，３２２は、勾配３１３，３２３を持つ。ｄ３は、突起部３１２，３２２の最大外径を表す。
平面部３６には、半径ｒ４の円弧形状の突起部６１（第８の突起部の一例）が配置されている。突起部６１の前面には、半径方向中心側に向かうにしたがって高さが低くなるような勾配面６１１が形成される。
【００４２】
図２５（ｂ）は、キャップ（Ｆ）６の後側を表す図である。本体３５の外周部には、光軸方向に突起する突起部３７（第２の突起部の一例）が設けられている。突起部３７の外径ｒ２は、突起部１３の半径ｒ１と等しい。また、キャップ（Ｆ）保持部材３１，３２には、凹凸からなる係合部３１５，３２５が設けられている。キャップ（Ｆ）保持部材３１，３２は、キャップ（Ｆ）６の半径方向に往復移動可能である。そして、キャップ（Ｆ）保持部材３１，３２は、半径方向外側に向かって付勢されており、付勢力に抗することによって、半径方向中心側に摺動できる。なお、摺動および付勢の構造は、第１の実施形態と同じである。
図２５（ｃ）は、キャップ（Ｆ）６を図２５（ａ）における矢印Ｃから見た図である。キャップ（Ｆ）保持部材３２には、突起部３２２と光軸方向撮像側に隣接した位置に、突起部３２４（第４の突起部の一例）が形成される。ｗ１は、突起部３２４の幅（円周方向寸法）である。
【００４３】
図２６（ａ）は、キャップ（Ｒ）７を後側（対物側）から見た斜視図である。キャップ（Ｒ）７には、撮像側に開口する開口部４３が形成される。開口部４３は、円形空間部４２と、凹状部４４（第２の凹状部の一例）とが、光軸方向に隣接する構成を有する。
円形空間部４２は、有底の円筒状に形成される。凹状部４４は、円形空間部４２よりも内径が大きい円形空間形状に形成される。凹状部４４の内径ｄ４は、前述のキャップ（Ｆ）６に設けられた突起部３１２，３２２の最大外径ｄ３に等しい。
凹状部４４の内壁には、半径方向内側に突出する円弧状でリブ状の３つの突起部４４１，４４２（第５の突起部の一例）が、円周方向に等間隔に設けられている。突起部４４１，４４２の内径ｄ５は、キャップ（Ｆ）６に形成される円板形状の凸状部３４の外径ｄ２と等しい。１つの突起部４４２には、円周方向の中間部に幅（円周方向寸法）がｗ２の切欠き４４３が形成される。幅ｗ２は、キャップ（Ｆ）６における突起部３２４の幅（円周方向寸法）ｗ１と等しい。また、円弧形状の突起部４４１，４４２の円周方向両端の側壁４４４は、円周方向との成す角度θが９０°より小さくなるように設定される。
【００４４】
図２６（ｂ）は、摺動部材７５（第２の摺動部材の一例）およびその周辺の詳細図である。
摺動部材７５は、半径方向に往復移動可能である。摺動部材７５は、付勢部材であるバネ７５４によって、矢印Ｈ’の方向（半径方向外側）に向かって付勢される。摺動部材７５の付勢力は、摺動部材５４の中心方向への付勢より強い。そして、摺動部材７５は、バネ７５４の付勢力に抗することによって、矢印Ｈの方向（半径方向内側）に摺動できる。
摺動部材７５は、半径ｒ５（図２６（ａ）参照）の円弧形状で光軸方向対物側に突出するリブ状の突起部７５１を備える。突起部７５１の半径ｒ５は、キャップ（Ｆ）６の円弧形状の突起部６１の半径ｒ４と等しい。突起部７５１の外周側には、勾配面７５２が形成される。
【００４５】
図２６（ｃ）は、キャップ（Ｒ）７を撮像側から見た図である。図２６（ｃ）に示すように、キャップ（Ｒ）７は、円板形状に形成される凸状部４５（第２の凸状部の一例）と円板形状部４６とを有し、これらが光軸方向に同軸に隣接する構成を有する。凸状部４５は、円形空間部４２の後側に対応する部分である。円板形状部４６は、凹状部４４（第２の凹状部の一例）の後側に対応する。ｄ１３は、円板形状に形成される凸状部４５の外径である。また凸状部４５の側壁には、半径方向外側に突出する円弧状でリブ状の３つの突起部４５１が、円周方向に等間隔に配置されている。撮像側（矢印Ｄ）から見て、突起部４５１の円周方向の反時計回り側端面には、ストッパ４５２が配置されている。
凸状部４５と円板形状部４６において、摺動部材７５に対応する部分には開口部（貫通孔）が形成される。そして、摺動部材７５は、この開口部を通じて外周側に露出している。摺動部材７５は、キャップ（Ｒ）７の突起部４５１の外周面と同一の外周面７５３を持つように配置される。
【００４６】
レンズユニット１に装着されたキャップ（Ｒ）７を撮像装置の本体２に装着されたマウントキャップ５に挿入した後に回転させて、マウントキャップ５にキャップ（Ｒ）７を保持させる手順は、第１の実施形態と同じである。
【００４７】
図２７（ａ）は、キャップ（Ｒ）７を、マウントキャップ５に保持させてレンズユニット１から取り外した状態を表す斜視図である。摺動部材５４は、矢印Ｅ’の方向に摺動し、マウントロックピン２２に係合することで、マウントキャップ５とレンズマウント部２０との回転が規制されている。
図２７（ｂ）は、図２７（ａ）に示す状態を、撮像側から見た斜視図である。図２７（ｂ）では、摺動部材７５と、摺動部材５４とが位相差を有する（角度ａ１≠０）である構成を示す。ただし、同位相（ａ１＝０°）にあっても良い。要は、キャップ（Ｒ）７のストッパ４５２とマウントキャップ５が回転規制された位置関係において、摺動部材７５が、摺動部材５４とキャップ（Ｒ）７の突起部４５１の端部４５３との間に配置されれば良い。
【００４８】
図２７（ｃ）は、キャップ（Ｒ）７の凹状部４４に、レンズユニット１に装着されたキャップ（Ｆ）６が挿入された状態を示す要部断面斜視図である。キャップ（Ｆ）６とキャップ（Ｒ）７との係合と回転規制は、第１の実施形態と同様の構成が適用される。キャップ（Ｆ）６の突起部３２４とキャップ（Ｒ）７の切欠き４４３が嵌合すると、キャップ（Ｆ）６とキャップ（Ｒ）７との相対的な回転が規制される。この状態において、キャップ（Ｆ）６の突起部６１に設けられた勾配面６１１が、摺動部材７５に設けられた勾配面７５２と当接して、キャップ（Ｆ）６の挿入動作に従って、摺動部材７５を矢印Ｈの方向（半径方向内側）に移動させる。その結果、図２７（ｄ）に示すように、キャップ（Ｒ）７の突起部４５１と摺動部材７５によって形成されるリブ側面に段差部７８が形成される。
【００４９】
次に、ユーザは、図２８（ａ）に示すように、レンズユニット１とキャップ（Ｆ）６とキャップ（Ｒ）７のセットを、矢印Ｂの方向に回転させる。段差部７８と摺動部材５４が同位相となると、矢印Ｅ方向に付勢されている摺動部材５４が、矢印Ｅの方向に移動して回転規制が解除される。この結果、マウントキャップ５は、レンズマウント部２０に対して回転可能になる。なお、このキャップ（Ｒ）７の回転は、前述の位相差ａ１＝０°であれば不要である。
【００５０】
その後、図２８（ｂ）に示すように、ユーザは、レンズユニット１とキャップ（Ｆ）６とキャップ（Ｒ）７とマウントキャップ５のセットを、矢印Ｂ’の方向（矢印Ｂと反対方向）に回転させる。そうすると、このセットをレンズマウント部２０から取り外すことができる。その結果、レンズユニット１の対物側の縁部１２に、キャップ（Ｆ）６、キャップ（Ｒ）７、マウントキャップ５の順に保持された状態となる。この状態で、ユーザは、レンズユニット１をレンズマウント部２０に装着することができる。なお、レンズユニット１から、キャップ（Ｆ）６とキャップ（Ｒ）７とマウントキャップ５のセットを取り外す手順は、第１の実施形態と同じである。
【００５１】
図２５〜図２８で示した内容により、図２９に示されるレンズユニット１の装着の手順を実現できる。図２９においては、レンズユニット１の対物側に符号Ｆを付して示す。
図２９（ａ）は、ユーザがレンズユニット１と撮像装置の本体２を手に取った初期状態を示す模式図である。レンズユニット１には、キャップ（Ｆ）６とキャップ（Ｒ）７とが装着されている。また、撮像装置の本体２のレンズマウント部２０には、マウントキャップ５が装着されている。
図２９（ｂ）は、レンズユニット１からキャップ（Ｒ）７が取り外された状態を示す模式図である。図２９（ａ）の状態から、ユーザは、キャップ（Ｒ）７をマウントキャップ５に挿入して回転が規制される位相まで回転させる。ここで、マウントキャップ５はレンズマウント部２０に対して相対的な回転が規制されている。このため、ユーザは、レンズユニット１を回転させることにより、キャップ（Ｒ）７をレンズユニット１から取り外すことができる。その結果、図２９（ｂ）に示すように、マウントキャップ５にキャップ（Ｒ）７を保持させ、レンズユニット１からキャップ（Ｒ）７を取り外すことができる。
【００５２】
図２９（ｃ）は、マウントキャップ５が撮像装置の本体２から取り外された状態を示す模式図である。ユーザは、キャップ（Ｆ）６をキャップ（Ｒ）７の内部に挿入する。そうすると、マウントキャップ５とレンズマウント部２０との回転の規制が解除される。マウントキャップ５は、キャップ（Ｒ）７に対して一方向に回転が規制されている。キャップ（Ｒ）７は、キャップ（Ｆ）６に対して回転が規制されている。キャップ（Ｆ）６は、レンズユニット１に対して所定の角度範囲で回転が規制されている。このため、ユーザは、レンズユニット１を回転させることで、図２９（ｃ）に示すように、マウントキャップ５を撮像装置の本体２から取り外すことができる。
【００５３】
図２９（ｄ）は、レンズユニット１が撮像装置の本体２のレンズマウント部２０に装着された状態を示す模式図である。キャップ（Ｆ）６とキャップ（Ｒ）７とマウントキャップ５は、レンズユニット１に保持されている。このため、レンズユニット１の撮像側と撮像装置の本体２のレンズマウント部２０とが露出する。したがって、図２９（ｄ）に示すように、ユーザはレンズユニット１をレンズマウント部２０に装着することができる。
このように、ユーザは、簡便な操作で、レンズユニット１を撮像装置の本体２に取り付けることができる。
【００５４】
逆に、レンズユニット１が撮像装置の本体２のレンズマウント部２０に装着され、３つのキャップがセットになった状態（図２９（ｄ）に示す状態）から、元の図２９（ａ）に示す状態に戻すには、これまでに説明した内容の逆の手順を辿れば良い。
また、ユーザは、３つのキャップがセットになった状態から、キャップ（Ｆ）６だけを取り外して、撮像装置の本体２に装着されたレンズユニット１の対物側に装着することも可能である。
【００５５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【図１】
2014191211.tif 000003
【図２】
2014191211.tif 000004
【図３】
2014191211.tif 000005
【図４】
2014191211.tif 000006
【図５】
2014191211.tif 000007
【図６】
2014191211.tif 000008
【図７】
2014191211.tif 000009
【図８】
2014191211.tif 000010
【図９】
2014191211.tif 000011
【図１０】
2014191211.tif 000012
【図１１】
2014191211.tif 000013
【図１２】
2014191211.tif 000014
【図１３】
2014191211.tif 000015
【図１４】
2014191211.tif 000016
【図１５】
2014191211.tif 000017
【図１６】
2014191211.tif 000018
【図１７】
2014191211.tif 000019
【図１８】
2014191211.tif 000020
【図１９】
2014191211.tif 000021
【図２０】
2014191211.tif 000022
【図２１】
2014191211.tif 000023
【図２２】
2014191211.tif 000024
【図２３】
2014191211.tif 000025
【図２４】
2014191211.tif 000026
【図２５】
2014191211.tif 000027
【図２６】
2014191211.tif 000028
【図２７】
2014191211.tif 000029
【図２８】
2014191211.tif 000030
【図２９】
2014191211.tif 000031